(57)【要約】【課題】通話に関連して、携帯端末の表示部に広告などの映像コンテンツを配信することができる通話システムを提供する。【解決手段】発信側および着信側の携帯端末は、それぞれ、自分自身の識別情報を基地局に送信し、かつ、報知情報を基地局から受信することを一定の時間間隔で繰り返す。発信側の携帯端末から着信側の携帯端末に電話をかける場合、発信側の携帯端末は、着信側の携帯端末の電話番号情報を基地局に送信し、基地局は、電話番号情報を受信すると、発信側の携帯端末の識別情報を、受信した電話番号情報に対応する着信側の携帯端末に送信し、着信側の携帯端末は、発信側の携帯端末の識別情報を受信すると、あらかじめ格納された所定数の映像コンテンツの中から、基地局から受信した直前の報知情報に対応する映像コンテンツを自分自身の表示部に所定の時間表示する。【選択図】図１
2014072690.tif 000002
【特許請求の範囲】
【請求項１】
発信側の携帯端末と着信側の携帯端末とが基地局を介して通話を行う通話システムであって、
前記発信側および着信側の携帯端末は、それぞれ、自分自身の識別情報を前記基地局に送信し、かつ、日時情報および基地情報を含む報知情報を前記基地局から受信することを一定の時間間隔で繰り返すものであり、
前記発信側の携帯端末から前記着信側の携帯端末に電話をかける場合、
前記発信側の携帯端末は、前記着信側の携帯端末の電話番号情報を前記基地局に送信し、
前記基地局は、前記発信側の携帯端末から前記電話番号情報を受信すると、前記発信側の携帯端末の識別情報を、前記受信した電話番号情報に対応する前記着信側の携帯端末に送信し、
前記着信側の携帯端末は、前記基地局から前記発信側の携帯端末の識別情報を受信すると、あらかじめ格納された所定数の映像コンテンツの中から、前記基地局から受信した直前の報知情報に対応する映像コンテンツを自分自身の表示部に所定の時間表示するものであることを特徴とする通話システム。
【請求項２】
前記着信側の携帯端末は、前記基地局から前記発信側の携帯端末の識別情報を受信すると、前記発信側の携帯端末からの電話を着信したことを表す着信情報を前記基地局に送信し、
前記基地局は、前記着信側の携帯端末から前記着信情報を受信すると、前記受信した着信情報を、前記受信した着信情報に対応する前記着信側の携帯端末の電話番号情報を送信した前記発信側の携帯端末に送信し、
前記発信側の携帯端末は、前記基地局から前記着信情報を受信すると、あらかじめ格納された所定数の映像コンテンツの中から、前記基地局から受信した直前の報知情報に対応する映像コンテンツを自分自身の表示部に所定の時間表示するものである請求項１に記載の通話システム。
【請求項３】
前記発信側の携帯端末は、前記映像コンテンツが自分自身の表示部に表示されている所定の時間、ユーザの音声情報を前記基地局に送信し、
前記基地局は、前記発信側の携帯端末からユーザの音声情報を受信すると、前記受信した音声情報を前記着信側の携帯端末に送信し、
前記着信側の携帯端末は、前記映像コンテンツが自分自身の表示部に表示されている所定の時間、前記基地局から、前記発信側の携帯端末のユーザの音声情報を受信し、再生するものである請求項２に記載の通話システム。
【請求項４】
前記着信側の携帯端末は、前記映像コンテンツが自分自身の表示部に表示されている所定の時間の間、前記着信側の携帯端末から、前記着信側の携帯端末のユーザの音声情報を前記発信側の携帯端末に送信しないものである請求項３に記載の通話システム。
【請求項５】
前記発信側および受信側の携帯端末は、前記所定数の映像コンテンツを格納するプログラムをインストールすることにより、前記通話システムの機能を実現するスマートフォンである請求項１〜４のいずれかに記載の通話システム。
【請求項６】
前記プログラムおよび映像コンテンツは、前記プログラムが起動されている時に、前記発信側および受信側の携帯端末が備える通信機能を利用して更新されるものである請求項５に記載の通話システム。
【請求項７】
前記着信側の携帯端末は、前記基地局から前記発信側の携帯端末の識別情報を受信すると、前記プログラムが起動されて、前記プログラムにより、前記映像コンテンツを表示部に所定の時間表示するものである請求項５または６に記載の通話システム。
【請求項８】
前記プログラムは、前記映像コンテンツを前記表示部に表示する場合、前記発信側および受信側の携帯端末が備えるスピーカから発せられるスピーカ音を使用するように切り換え、さらに、前記スピーカ音の音量を調節するものである請求項５〜７のいずれかに記載の通話システム。
【請求項９】
前記着信側の携帯端末は、前記基地局から前記発信側の携帯端末の識別情報を受信しても呼び出し音を鳴らさないものである請求項１〜８のいずれかに記載の通話システム。
【請求項１０】
前記発信側および受信側の携帯端末は、１つの映像コンテンツのみを、前記発信側および受信側の携帯端末の表示部の全画面に前記所定の時間表示するものである請求項１〜９のいずれかに記載の通話システム。
【請求項１１】
前記発信側および受信側の携帯端末は、複数の映像コンテンツを、前記所定の時間を分割して順次切り換えて、前記発信側および受信側の携帯端末の表示部の全画面に表示した後に、全ての映像コンテンツを、前記表示部の画面を分割して同時に表示するものである請求項１〜９のいずれかに記載の通話システム。
【請求項１２】
前記発信側および受信側の携帯端末は、複数の映像コンテンツを、前記発信側および受信側の携帯端末の表示部の画面を分割して同時に前記所定の時間表示するものである請求項１〜９のいずれかに記載の通話システム。
【請求項１３】
前記発信側および受信側の携帯端末は、複数の映像コンテンツを、前記発信側および受信側の携帯端末の表示部の画面を分割して、時間差をつけて同時にぞれぞれ前記所定の時間再生するものである請求項１〜９のいずれかに記載の通話システム。
【請求項１４】
前記発信側および受信側の携帯端末は、１つの映像コンテンツを、前記発信側および受信側の携帯端末の表示部の画面を分割して、時間差をつけてそれぞれ前記所定の時間再生するものである請求項１〜９のいずれかに記載の通話システム。
【請求項１５】
前記発信側および受信側の携帯端末は、前記映像コンテンツを表示した後に、前記表示した映像コンテンツに関連したクイズを出題するものである請求項１０〜１４のいずれかに記載の通話システム。
【請求項１６】
前記発信側および受信側の携帯端末は、前記表示部に表示された映像コンテンツに対するユーザの評価を入力するためのボタンを前記映像コンテンツ内に表示し、ユーザが前記ボタンを押すことによって入力された、前記映像コンテンツに対するユーザの評価を取得するものである請求項１〜１５のいずれかに記載の通話システム。
【請求項１７】
前記通話システムは、前記発信側および受信側の携帯端末での映像コンテンツの表示回数に応じて、前記映像コンテンツの提供元に費用の支払いを請求するものである請求項１〜１６のいずれかに記載の通話システム。
【請求項１８】
発信側の携帯端末と着信側の携帯端末とが基地局を介して通話を行う通話方法であって、
前記発信側および着信側の携帯端末が、それぞれ、自分自身の識別情報を前記基地局に送信し、かつ、日時情報および基地情報を含む報知情報を前記基地局から受信することを一定の時間間隔で繰り返すステップと、
前記発信側の携帯端末から前記着信側の携帯端末に電話をかける場合、
前記発信側の携帯端末が、前記着信側の携帯端末の電話番号情報を前記基地局に送信するステップと、
前記基地局が、前記発信側の携帯端末から前記電話番号情報を受信すると、前記発信側の携帯端末の識別情報を、前記受信した電話番号情報に対応する前記着信側の携帯端末に送信するステップと、
前記着信側の携帯端末が、前記基地局から前記発信側の携帯端末の識別情報を受信すると、あらかじめ格納された所定数の映像コンテンツの中から、前記基地局から受信した直前の報知情報に対応する映像コンテンツを自分自身の表示部に所定の時間表示するステップとを含むことを特徴とする通話方法。
【請求項１９】
前記着信側の携帯端末が、前記基地局から前記発信側の携帯端末の識別情報を受信すると、前記発信側の携帯端末からの電話を着信したことを表す着信情報を前記基地局に送信するステップと、
前記基地局が、前記着信側の携帯端末から前記着信情報を受信すると、前記受信した着信情報を、前記受信した着信情報に対応する前記着信側の携帯端末の電話番号情報を送信した前記発信側の携帯端末に送信するステップと、
前記発信側の携帯端末が、前記基地局から前記着信情報を受信すると、あらかじめ格納された所定数の映像コンテンツの中から、前記基地局から受信した直前の報知情報に対応する映像コンテンツを自分自身の表示部に所定の時間表示するステップとを含む請求項１８に記載の通話方法。
【請求項２０】
前記発信側の携帯端末が、前記映像コンテンツが自分自身の表示部に表示されている所定の時間、ユーザの音声情報を前記基地局に送信するステップと、
前記基地局が、前記発信側の携帯端末からユーザの音声情報を受信すると、前記受信した音声情報を前記着信側の携帯端末に送信するステップと、
前記着信側の携帯端末が、前記映像コンテンツが自分自身の表示部に表示されている所定の時間、前記基地局から、前記発信側の携帯端末のユーザの音声情報を受信し、再生するステップとを含む請求項１９に記載の通話方法。
【発明の詳細な説明】
【技術分野】
【０００１】
本発明は、発信側の携帯端末と着信側の携帯端末とが基地局を介して通話を行う通話システムおよび通話方法において、広告などの映像コンテンツを携帯端末の表示部に表示する技術に関するものである。
【背景技術】
【０００２】
人々の、新聞離れ、テレビ離れが進んでおり、マスメディア広告のあり方が変わってきている。多くの人が、スマートフォンなどの携帯端末を持ち歩き利用する現状の中で、通話と関連した新たな広告の手法は登場していない。一方、電車車両内などで見かけるサイレント広告は一定の効果を上げている。携帯端末の普及と共に、携帯端末を利用した新たな広告の手法が求められている。
【０００３】
ここで、本発明に関連性のある先行技術文献として、特許文献１〜３がある。
【０００４】
特許文献１には、ＧＰＳ付き携帯電話を所有するユーザーによる第三者の電話への発信に従い、電話交換機が、ＧＰＳ付き携帯電話自身の位置情報が付加された発信信号を、無線基地局を介して受信し、無線カバーエリア内の位置情報に対応して登録された地域に関連する広告コンテンツを選択し、ＧＰＳ付き携帯電話に、選択された広告コンテンツの配信処理を行う広告配信方法が記載されている。
【０００５】
特許文献２には、携帯電話端末が、利用者がメール送信ボタンを押下したことを受けて前回のメール送信時に広告配信サーバから配信された広告情報をメール送信完了まで、あるいは、一定の時間表示すると共に、広告配信サーバから配信される新たな広告情報の配信を受け取って次回のメール送信タイミングにおける広告表示のために記憶する広告表示方法が記載されている。
【０００６】
特許文献３には、業者がサービスプロバイダを介して顧客に対して広告を行うための方法であって、顧客がウェブページからリンクを選択すると、顧客にとって無料の顧客と業者との間における電話接続を行い、加入業者によって提供される商品および／またはサービスに関する顧客による検索に応答して加入業者のための広告を顧客に提示することが記載されている。
【先行技術文献】
【特許文献】
【０００７】
【特許文献１】特開２００３−１６３４８号公報
【特許文献２】特開２００６−４７５６５号公報
【特許文献３】特表２００９−５１４３５１号公報
【発明の概要】
【発明が解決しようとする課題】
【０００８】
本発明の目的は、通話に関連して、携帯端末の表示部に広告などの映像コンテンツを配信することができる通話システムおよび通話方法を提供することにある。
【課題を解決するための手段】
【０００９】
上記目的を達成するために、本発明は、発信側の携帯端末と着信側の携帯端末とが基地局を介して通話を行う通話システムであって、
発信側および着信側の携帯端末は、それぞれ、自分自身の識別情報を基地局に送信し、かつ、日時情報および基地情報を含む報知情報を基地局から受信することを一定の時間間隔で繰り返すものであり、
発信側の携帯端末から着信側の携帯端末に電話をかける場合、
発信側の携帯端末は、着信側の携帯端末の電話番号情報を基地局に送信し、
基地局は、発信側の携帯端末から電話番号情報を受信すると、発信側の携帯端末の識別情報を、受信した電話番号情報に対応する着信側の携帯端末に送信し、
着信側の携帯端末は、基地局から発信側の携帯端末の識別情報を受信すると、あらかじめ格納された所定数の映像コンテンツの中から、基地局から受信した直前の報知情報に対応する映像コンテンツを自分自身の表示部に所定の時間表示するものであることを特徴とする通話システムを提供するものである。
【００１０】
ここで、着信側の携帯端末は、基地局から発信側の携帯端末の識別情報を受信すると、発信側の携帯端末からの電話を着信したことを表す着信情報を基地局に送信し、
基地局は、着信側の携帯端末から着信情報を受信すると、受信した着信情報を、受信した着信情報に対応する着信側の携帯端末の電話番号情報を送信した発信側の携帯端末に送信し、
発信側の携帯端末は、基地局から着信情報を受信すると、あらかじめ格納された所定数の映像コンテンツの中から、基地局から受信した直前の報知情報に対応する映像コンテンツを自分自身の表示部に所定の時間表示するものであることが好ましい。
【００１１】
また、発信側の携帯端末は、映像コンテンツが自分自身の表示部に表示されている所定の時間、ユーザの音声情報を基地局に送信し、
基地局は、発信側の携帯端末からユーザの音声情報を受信すると、受信した音声情報を着信側の携帯端末に送信し、
着信側の携帯端末は、映像コンテンツが自分自身の表示部に表示されている所定の時間、基地局から、発信側の携帯端末のユーザの音声情報を受信し、再生するものであることが好ましい。
【００１２】
また、着信側の携帯端末は、映像コンテンツが自分自身の表示部に表示されている所定の時間の間、着信側の携帯端末から、着信側の携帯端末のユーザの音声情報を発信側の携帯端末に送信しないものであることが好ましい。
【００１３】
また、発信側および受信側の携帯端末は、所定数の映像コンテンツを格納するプログラムをインストールすることにより、通話システムの機能を実現するスマートフォンであることが好ましい。
【００１４】
また、プログラムおよび映像コンテンツは、プログラムが起動されている時に、発信側および受信側の携帯端末が備える通信機能を利用して更新されるものであることが好ましい。
【００１５】
また、着信側の携帯端末は、基地局から発信側の携帯端末の識別情報を受信すると、プログラムが起動されて、プログラムにより、映像コンテンツを表示部に所定の時間表示するものであることが好ましい。
【００１６】
また、プログラムは、映像コンテンツを表示部に表示する場合、発信側および受信側の携帯端末が備えるスピーカから発せられるスピーカ音を使用するように切り換え、さらに、スピーカ音の音量を調節するものであることが好ましい。
【００１７】
また、着信側の携帯端末は、基地局から発信側の携帯端末の識別情報を受信しても呼び出し音を鳴らさないものであることが好ましい。
【００１８】
また、発信側および受信側の携帯端末は、１つの映像コンテンツのみを、発信側および受信側の携帯端末の表示部の全画面に所定の時間表示するものであることが好ましい。
【００１９】
また、発信側および受信側の携帯端末は、複数の映像コンテンツを、所定の時間を分割して順次切り換えて、発信側および受信側の携帯端末の表示部の全画面に表示した後に、全ての映像コンテンツを、表示部の画面を分割して同時に表示するものであることが好ましい。
【００２０】
また、発信側および受信側の携帯端末は、複数の映像コンテンツを、発信側および受信側の携帯端末の表示部の画面を分割して同時に所定の時間表示するものであることが好ましい。
【００２１】
また、発信側および受信側の携帯端末は、複数の映像コンテンツを、発信側および受信側の携帯端末の表示部の画面を分割して、時間差をつけて同時にぞれぞれ所定の時間再生するものであることが好ましい。
【００２２】
また、発信側および受信側の携帯端末は、１つの映像コンテンツを、発信側および受信側の携帯端末の表示部の画面を分割して、時間差をつけてそれぞれ所定の時間再生するものであることが好ましい。
【００２３】
また、発信側および受信側の携帯端末は、映像コンテンツを表示した後に、表示した映像コンテンツに関連したクイズを出題するものであることが好ましい。
【００２４】
また、発信側および受信側の携帯端末は、表示部に表示された映像コンテンツに対するユーザの評価を入力するためのボタンを映像コンテンツ内に表示し、ユーザがボタンを押すことによって入力された、映像コンテンツに対するユーザの評価を取得するものであることが好ましい。
【００２５】
また、通話システムは、発信側および受信側の携帯端末での映像コンテンツの表示回数に応じて、映像コンテンツの提供元に費用の支払いを請求するものであることが好ましい。
【００２６】
また、本発明は、発信側の携帯端末と着信側の携帯端末とが基地局を介して通話を行う通話方法であって、
発信側および着信側の携帯端末が、それぞれ、自分自身の識別情報を基地局に送信し、かつ、日時情報および基地情報を含む報知情報を基地局から受信することを一定の時間間隔で繰り返すステップと、
発信側の携帯端末から着信側の携帯端末に電話をかける場合、
発信側の携帯端末が、着信側の携帯端末の電話番号情報を基地局に送信するステップと、
基地局が、発信側の携帯端末から電話番号情報を受信すると、発信側の携帯端末の識別情報を、受信した電話番号情報に対応する着信側の携帯端末に送信するステップと、
着信側の携帯端末が、基地局から発信側の携帯端末の識別情報を受信すると、あらかじめ格納された所定数の映像コンテンツの中から、基地局から受信した直前の報知情報に対応する映像コンテンツを自分自身の表示部に所定の時間表示するステップとを含むことを特徴とする通話方法を提供する。
【００２７】
ここで、着信側の携帯端末が、基地局から発信側の携帯端末の識別情報を受信すると、発信側の携帯端末からの電話を着信したことを表す着信情報を基地局に送信するステップと、
基地局が、着信側の携帯端末から着信情報を受信すると、受信した着信情報を、受信した着信情報に対応する着信側の携帯端末の電話番号情報を送信した発信側の携帯端末に送信するステップと、
発信側の携帯端末が、基地局から着信情報を受信すると、あらかじめ格納された所定数の映像コンテンツの中から、基地局から受信した直前の報知情報に対応する映像コンテンツを自分自身の表示部に所定の時間表示するステップとを含むことが好ましい。
【００２８】
また、発信側の携帯端末が、映像コンテンツが自分自身の表示部に表示されている所定の時間、ユーザの音声情報を基地局に送信するステップと、
基地局が、発信側の携帯端末からユーザの音声情報を受信すると、受信した音声情報を着信側の携帯端末に送信するステップと、
着信側の携帯端末が、映像コンテンツが自分自身の表示部に表示されている所定の時間、基地局から、発信側の携帯端末のユーザの音声情報を受信し、再生するステップとを含むことが好ましい。
【発明の効果】
【００２９】
本発明によれば、電話の着信に応じて、発信側および着信側の携帯端末のユーザに、それぞれ、映像コンテンツを見せることができる。また、本発明によれば、電話の着信のタイミングでユーザの注意を喚起し、映像コンテンツに集中させることができるため、ユーザの視聴率が高く、大きな広告効果を期待することができる。
【図面の簡単な説明】
【００３０】
【図１】本発明の通話システムの構成を表す一実施形態の概略図である。
【図２】図１に示す通話システムの動作を表す一例の概念図である。
【図３】図１に示す通話システムの動作を表す一例の概念図である。
【図４】図１に示す通話システムの動作を表す一例の概念図である。
【図５】図１に示す通話システムの動作を表す一例のフローチャートである。
【発明を実施するための形態】
【００３１】
以下に、添付の図面に示す好適実施形態に基づいて、本発明の通話システムおよび通話方法を詳細に説明する。
【００３２】
図１は、本発明の通話システムの構成を表す一実施形態の概念図である。同図に示す通話システム１０は、発信側の携帯端末と着信側の携帯端末とが基地局を介して通話を行うものであり、携帯端末１２，１４と、基地局１６，１８とを備えている。
【００３３】
それぞれの携帯端末１２，１４は、後述する、報知情報、電話番号情報、識別情報、着信情報、音声情報などの各種情報の送受信を基地局１６，１８と行う送信部および受信部と、マイク、スピーカ、および、通話を制御する通話制御部と、表示部、および、表示部における表示を制御する表示制御部と、後述する専用のプログラムによって、これらの各部位の動作を制御する制御部とを備えている。
【００３４】
本実施形態では、携帯端末１２から携帯端末１４へ電話をかける場合を例に挙げ、携帯端末１２を発信側の携帯端末、携帯端末１４を着信側の携帯端末として説明するが、両者は同じ機能を備えるものである。また、本実施形態では、発信側の携帯端末１２と基地局１６とが接続され、基地局１６と基地局１８とが接続され、着信側の携帯端末１４と基地局１８とが接続されることによって、発信側の携帯端末１２と着信側の携帯端末１４とが基地局１６，１８を介して接続されるものとする。
【００３５】
本実施形態の場合、発信側および着信側の携帯端末１２，１４は、例えば、携帯端末の通信機能によりアプリケーションの配信サーバなどのサーバからダウンロードされる専用のプログラム（アプリケーション）をインストールすることにより、以下に説明する通話システム１０の機能を実現するスマートフォンであり、そのプログラムには、あらかじめ所定数の映像コンテンツが格納されている。映像コンテンツは、広告配信サーバなどのサーバから配信されるサイレント映像（音声のない映像）であり、主として、広告を目的とするコンテンツであるが、それ以外の目的のスライドショーや文章などのコンテンツであってもよい。
【００３６】
発信側および着信側の携帯端末１２，１４には同一のプログラムがインストールされるが、このプログラムは、発信側および着信側の携帯端末１２，１４で異なる動作を行う。つまり、発信側の場合には発信側の動作を行い、着信側の場合には着信側の動作を行う。また、このプログラムは、起動されている時に、携帯端末１２，１４が備える通信機能を利用して更新可能であり、例えば、広告主が変わったり、広告内容を変えたいなど、必要に応じて、映像コンテンツも更新される。
【００３７】
なお、基地局は２つに限定されず、１以上のいくつの基地局を中継していてもよい。また、発信側および着信側の携帯端末１２，１４として、それぞれ、１以上いくつの携帯端末が備えられていてもよい。
【００３８】
発信側および着信側の携帯端末１２，１４は、それぞれ、自分自身の識別情報、例えば、自分自身の電話番号の情報を基地局１６，１８に送信し、かつ、日時情報および基地情報を含む報知情報を基地局１６，１８から受信することを一定の時間間隔、例えば、２秒間隔で繰り返している。
ここで、日時情報は、携帯端末と基地局との間で通信が行われた日時を表す情報であり、基地情報は、携帯端末と通信中の基地局がどの基地局であるかを表す情報である。
【００３９】
以下、本発明の通話方法に従って、通話システム１０の動作を、図５に示すフローチャートを参照して説明する。
【００４０】
発信側の携帯端末１２から着信側の携帯端末１４に電話をかける場合、ユーザが、発信側の携帯端末１２で通話システム１０の機能を実現するプログラムを起動して、着信側の携帯端末１４の電話番号を入力すると、発信側の携帯端末１２は、図２に示すように、着信側の携帯端末１４の電話番号情報を基地局１６に送信する（図５のステップＳ１）。
続いて、基地局１６は、発信側の携帯端末１２から電話番号情報を受信すると、同図に示すように、その電話番号情報と、発信側の携帯端末１２の識別情報を基地局１８に送信する。基地局１８は、基地局１６から、発信側の携帯端末１２の識別情報と、着信側の携帯端末１４の電話番号情報を受信すると、同図に示すように、発信側の携帯端末１２の識別情報を、受信した電話番号情報に対応する着信側の携帯端末１４に送信する（ステップＳ２）。
一方、着信側の携帯端末１４は、同図に示すように、基地局１８から発信側の携帯端末１２の識別情報、本実施形態の場合には、着信側の携帯端末１４の電話番号とは異なる発信側の携帯端末１２の電話番号の情報を受信すると、通話システム１０の機能を実現するプログラムが自動的に起動されて、あらかじめ格納された所定数の映像コンテンツの中から、同じく基地局１８から受信した直前の報知情報に対応する映像コンテンツを自分自身の表示部に所定の時間、例えば、１０〜１５秒間表示する（ステップＳ３）。
着信側の携帯端末１４では、ユーザが電話に出るか否か、つまり、通話ボタンを押すか押さないかにかかわらず、映像コンテンツの表示が行われる。
【００４１】
ここで、通常の通話システムの場合、発信側の携帯端末から着信側の携帯端末に電話をかけると、着信側の携帯端末では呼び出し音（着信音）が鳴り、それに応じて、ユーザが通話ボタンを押すと通話が可能になる。
これに対し、本実施形態の通話システム１０の場合、着信側の携帯端末１４は、基地局１８から発信側の携帯端末１２の識別情報を受信すると、呼び出し音を鳴らすことなく、通話システム１０の機能を実現するプログラムを起動し、このプログラムにより、着信側の携帯端末１４の表示部に映像コンテンツを表示する。
【００４２】
なお、着信側の携帯端末１４において、呼び出し音を鳴らさないことは必須ではなく、呼び出し音を鳴らしてもよい。
【００４３】
ここで、それぞれの映像コンテンツの表示開始時刻および地域は、あらかじめ広告主によって設定されている（先約主義）。そして、映像コンテンツの表示は、それぞれの携帯端末が基地局から受信する報知情報に含まれる時刻情報および基地情報に従って開始される。つまり、この基地局の範囲では、この時刻からこの映像コンテンツが表示されるというように決められている。そのため、呼び出し音を鳴らすと、その分の時間だけ、映像コンテンツの表示開始時刻がずれてしまうため、呼び出し音を鳴らさない方が望ましい。
【００４４】
また、呼び出し音が鳴ってから電話に出るまでの時間は人それぞれであるが、例えば、その時間が５秒であるとすると、通常の電話システムの場合、その間、電話をかけてきた相手の名前や電話番号が携帯端末の表示部に表示される。しかし、この５秒間の間、ユーザが携帯端末の表示部の画面を見ているのであれば、その時間を映像コンテンツを表示するために使用する方が望ましい。
【００４５】
ここで、携帯端末にインストールされたプログラムが自動的に起動して動作するものの１つに、基地局から受信した報知情報に基づいてアラーム音を発生するアラームプログラムがある。しかし、アラームプログラムは、基地局からの報知情報に応じて起動するものであり、本実施形態の通話システム１０の機能を実現するプログラムは、他の携帯端末からの電話の着信に応じて自動的に起動するものであるという点で、両者は異なっている。
【００４６】
続いて、着信側の携帯端末１４は、基地局１８から発信側の携帯端末１２の識別情報を受信すると、図３に示すように、発信側の携帯端末１２からの電話を着信したことを表す着信情報を基地局１８に送信する（ステップＳ４）。
基地局１８は、着信側の携帯端末１４から着信情報を受信すると、同図に示すように、受信した着信情報を基地局１６に送信し、基地局１６は、同図に示すように、基地局１８から受信した着信情報を、受信した着信情報に対応する着信側の携帯端末１４の電話番号情報を送信した発信側の携帯端末１２に送信する（ステップＳ５）。
発信側の携帯端末１２は、同図に示すように、基地局１６から着信情報を受信すると、あらかじめ格納された所定数の映像コンテンツの中から、同じく基地局１６から受信した直前の報知情報に対応する映像コンテンツを自分自身の表示部に所定の時間、同様に、１０〜１５秒間表示する（ステップＳ６）。
【００４７】
ここで、発信側および着信側の携帯端末１２，１４の表示部に表示される映像コンテンツは、通話システム１０の機能を実現するプログラムに格納された所定数の映像コンテンツの中から、発信側および着信側の携帯端末１２，１４の各々が自分自身の識別情報を送信する基地局１６，１８から受信した直前の報知情報に応じて選択される。そのため、発信側の携帯端末１２と着信側の携帯端末１４で同一の映像コンテンツが表示されるとは限らない。
【００４８】
また、映像コンテンツは、報知情報に従って、例えば、この基地局に接続された携帯端末では、何時何分から何時何分までは、この映像コンテンツを表示すると決められる。前述のように、発信側および着信側の携帯端末１２，１４は、それぞれ、基地局１６，１８から報知情報を一定の時間間隔で取得する。従って、発信側および着信側の携帯端末１２，１４では、それぞれ、基地局１６，１８から受信した直前の報知情報に対応する映像コンテンツが表示部に表示される。
【００４９】
また、発信側の携帯端末１２は、図４に示すように、映像コンテンツが自分自身の表示部に表示されている所定の時間の間、ユーザの音声情報を基地局１６に無料で送信することができる（ステップＳ７）。つまり、発信側の携帯端末１２のユーザは、映像コンテンツが表示されている所定の時間の間、無料で通話をすることができる。
基地局１６は、同図に示すように、発信側の携帯端末１２からユーザの音声情報を受信すると、受信した音声情報を基地局１８に送信し、同様に、基地局１８は、同図に示すように、基地局１６から受信した音声情報を着信側の携帯端末１４に送信する（ステップＳ８）。
一方、着信側の携帯端末１４は、映像コンテンツが自分自身の表示部に表示されている所定の時間、同図に示すように、基地局１８から、発信側の携帯端末１２のユーザの音声情報を受信し、再生する（ステップＳ９）。
【００５０】
本実施形態の場合、着信側の携帯端末１４は、映像コンテンツが自分自身の表示部に表示されている所定の時間の間、着信側の携帯端末１４から、着信側の携帯端末１４のユーザの音声情報を発信側の携帯端末１２に送信することができないものとする。これにより、着信側の携帯端末１４のユーザは、発信側の携帯端末１２のユーザの音声や、表示部に表示されている映像コンテンツに集中することができる。
なお、これは必須ではなく、映像コンテンツが表示されている間に、着信側の携帯端末１４から、発信側の携帯端末１２に音声情報を送信可能としてもよい。
【００５１】
また、発信側の携帯端末１２のユーザが、映像コンテンツが表示されている所定の時間の間、無料で通話できるようにする代わりに、その所定の時間の間の通話料金に相当する金額を通話の基本料金から差し引くようにしてもよい。
【００５２】
また、通話システム１０は、着信回数、つまり、発信側および着信側の携帯端末１２，１４での映像コンテンツの表示回数に応じて、表示された映像コンテンツの提供元である広告主に対して広告費（費用）の支払いを請求する。これは、例えば、既存のオンライン費用請求システムを利用して実現することができる。発信側および着信側の携帯端末１２，１４のユーザは、自分の意志でプログラムに格納されている映像コンテンツを任意のタイミングで閲覧可能であるが、この場合、その映像コンテンツの広告主は、広告費の支払いを請求されないものとする。
【００５３】
本実施形態の通話システム１０では、電話の着信に応じて、発信側および着信側の携帯端末１２，１４のユーザに、それぞれ映像コンテンツを見せることができる。例えば、雑誌、新聞、ポスターなどの紙媒体のサイレント広告では、ユーザの注意を喚起する機能がないが、通話システム１０では、電話の着信のタイミングでユーザの注意を喚起し、映像コンテンツに集中させることができるため、ユーザの視聴率が高く、大きな広告効果を期待することができる。
【００５４】
ここで、携帯端末の表示部に表示された映像コンテンツをユーザに見てもらうためには、映像コンテンツが表示されている間、ユーザが携帯端末を耳に当てることなく、発信者からの音声が十分な音量で再生される必要がある。
【００５５】
スマートフォンのように、表示部として表示パネルを有する携帯端末の場合、スピーカから発せられるスピーカ音の他に、表示パネルからパネル音が発せられるものがある。一般的に、パネル音は、スピーカ音よりも音量が小さく、音量を最大に設定しても、携帯端末を耳に当てないと発信者の音声を聴きづらいものが多い。一方、スピーカ音は、ユーザが携帯端末を耳に当てて聴かなくても十分な音量を得ることができる。
従って、映像コンテンツを表示する場合には、携帯端末にインストールされたプログラムが、スピーカ音を使用するように切り換え、さらに必要に応じて、スピーカ音の音量を自動的に調節するのが望ましい。
【００５６】
同様に、発信者からの音声が十分な音量で再生される必要があるという観点から、破損、防水などの目的で携帯端末本体を携帯カバーで覆う場合には、スピーカに対応する部分が覆われていないことが重要である。携帯カバーのスピーカに対応する部分に穴が開いていないとスピーカから発せられる音声がカバー本体に吸収され、調節したつもりの音声の音量と実際に聞こえてくる音声の音量とが違ってくるため、スピーカに対応する部分が携帯カバーで覆われていないことが望ましい。
また、携帯カバーの素材は、吸音効果が低いものであることが望ましい。また、携帯カバーの形状は、スピーカが発する音声を増幅する形状であること、例えば、イヤホンを使用して視聴できるような形状であることが望ましい。
【００５７】
さらに、着信拒否の設定、通話料の着信者払いの設定(コレクトコール)に対しても適応可能であることが望ましい。
【００５８】
次に、映像コンテンツ表示方法（再生方法）について説明する。
【００５９】
映像コンテンツの表示方法として、例えば、以下の（１）〜（８）が考えられる。
（１）１社全面
（２）複数社一画面順次（最後整列）＆クイズ
（３）複数社多画面
（４）複数社多画面＆クイズ
（５）複数社時間差多画面（タイムライン重ね）
（６）複数社時間差多画面＆クイズ
（７）１社時間差多画面
（８）１社時間差多画面＆クイズ
【００６０】
（１）の表示方法は、１つの会社の映像コンテンツのみを、携帯端末の表示部の全画面に所定の時間表示するものである。
【００６１】
（２）の表示方法は、複数の会社の映像コンテンツを、所定の時間を分割して順次切り換えて、携帯端末の表示部の全画面に表示するものである。例えば、所定の時間が１５秒で、３つの会社の映像コンテンツを表示する場合、各々の会社の映像コンテンツを、５秒ずつ順次切り換えて、携帯端末の表示部の全画面に表示する。
最後整列は、複数の会社の映像コンテンツを全て表示した後に、全ての会社の映像コンテンツを、携帯端末の表示部の画面を分割して同時に表示する。
クイズは、最後整列の後に、映像コンテンツを見るユーザの関心を高めるために、例えば、２番目に表示された映像コンテンツはどこの会社のものでしょう、というような、表示した映像コンテンツに関連したクイズを出題する。
【００６２】
（３）の表示方法は、複数の会社の映像コンテンツを、携帯端末の表示部の画面を分割して同時に所定の時間表示するものである。例えば、４つの会社の映像コンテンツを表示する場合、携帯端末の表示部を４分割して、同時に４つの会社の映像コンテンツを、携帯端末の表示部に表示する。
【００６３】
（４）の表示方法は、（３）の表示方法のように、複数の会社の映像コンテンツを、携帯端末の表示部の画面を分割して同時に所定の時間表示した後に、クイズを出題するものである。
【００６４】
（５）の表示方法は、複数の会社の映像コンテンツを、携帯端末の表示部の画面を分割して、時間差をつけて同時にそれぞれ所定の時間再生するものである。例えば、１つ目の会社の映像コンテンツを画面の左側に再生している時に、１つ目の会社の映像コンテンツの再生が終了する前に、所定の時間だけずらして、つまり、所定の時間だけ重複して、２つ目の会社の映像コンテンツを画面の右側に再生する。ユーザは、２つの映像コンテンツのうち、気に入った方の映像コンテンツを選択して見ることができる。
【００６５】
（６）の表示方法は、（５）の表示方法のように、複数の会社の映像コンテンツを、携帯端末の表示部の画面を分割して、時間差をつけて同時にそれぞれ所定の時間再生した後、クイズを出題するものである。
【００６６】
（７）の表示方法は、１つの会社の映像コンテンツを、携帯端末の表示部の画面を分割して、時間差をつけてそれぞれ所定の時間再生するものである。映像コンテンツは、同じものでも、違うものでもよい。
【００６７】
（８）の表示方法は、（７）の表示方法のように、１つの会社の映像コンテンツを、携帯端末の表示部の画面を分割して、時間差をつけて再生した後、クイズを出題するものである。
【００６８】
なお、映像コンテンツは、広告を目的とする会社が提供するものに限定されない。また、映像コンテンツの表示方法は、上記のものだけに限らず、例えば、上記の表示方法を適宜組み合わせて様々な表示方法を採用することができる。
【００６９】
また、発信側および受信側の携帯端末１２，１４は、表示部に表示された映像コンテンツに対するユーザの評価を入力するためのボタン、例えば、「ＬＯＶＥ」、「しつこい」などのボタンを映像コンテンツ内に表示することが望ましい。これにより、ユーザがこのボタンを押すことによって入力された、映像コンテンツに対するユーザの評価を取得することが可能となる。
【００７０】
ユーザが「ＬＯＶＥ」のボタンを押した場合は、例えば、そのユーザの携帯端末にクーポンメールが配信されるようにする。これにより、ユーザは、その映像コンテンツを見ることによってクーポンを得ることができるというメリットが生まれる。
【００７１】
また、ユーザが「しつこい」のボタンを押した場合は、例えば、そのユーザの携帯端末にインストールされたプログラムから、その映像コンテンツが削除され、その映像コンテンツの表示中止通知が、「しつこい」のボタンが押された回数に相当する点数分、広告主に届けられるようにする。これにより、広告主は、その映像コンテンツによってユーザに悪い印象を与えることを防止することができるとともに、その映像コンテンツを削除すべき時期を検討することができる。
【００７２】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【００７３】
１０  通話システム
１２，１４  携帯端末
１６，１８  基地局
【図１】
2014072690.tif 000003
【図２】
2014072690.tif 000004
【図３】
2014072690.tif 000005
【図４】
2014072690.tif 000006
【図５】
2014072690.tif 000007